(57)【要約】【課題】  界磁鉄心の側面にプロテクターおよび雑音防止コンデンサーをコンパクトに収納する。【解決手段】  分割鉄心の場合には、巻枠形状を１つのタイブで構成するのが一般的であり、その場合に、プロテクター３、雑音防止コンデンサー４どちらでも取り付けられることが重要である。本発明は、巻線２ａ、２ｂ上一体形成したコンデンサー固定支え部１０ａ、１０ｂ、コンデンサーリード線固定兼プロテクター固定爪部１１ａ、１１ｂにより雑音防止コンデンサーを保持固定し、コンデンサーリード線固定兼プロテクター固定爪部１１ａ、１１ｂプロテクター保持用袋部１２により、プロテクターを保持固定する。【選択図】  図１
2006149089.tif 000002
【特許請求の範囲】
【請求項１】
積層鉄心よりなる界磁鉄心と、前記鉄心に巻装された界磁巻線と、前記巻線を保持固定す
る樹脂製の巻枠より構成され、前記界磁鉄心の積層側面に前記巻枠と一体にプロテクター
及び雑音防止コンデンサーを保持固定できる形状構成を備えた界磁組立体。
【請求項２】
プロテクター及び雑音防止コンデンサーのどちらか一方を保持固定できる巻枠形状を備え
た請求項１記載の界磁組立体。
【請求項３】
プロテクター及び雑音防止コンデンサーの保持固定形状を界磁鉄心両端面に配置された２つの巻枠により構成された請求項１記載の界磁組立体。
【発明の詳細な説明】
【技術分野】
【０００１】
本発明は、掃除機用ブロワモータに使用される界磁組立体に関するものである。
【背景技術】
【０００２】
掃除機用ブロワモータは、掃除機本体に組み込まれる時に、過負荷保護装置としてのプロテクターおよび雑音防止用のコンデンサーを取り付けている。しかしながら、モータにプロテクターおよび雑音防止コンデンサーを取り付けるための作業が必要であり、そのスペースを掃除機本体内に確保する必要があった。そのため、本体内の配線の引き回しが複雑になるなど、作業性、コスト面で課題があった。
【０００３】
従来のプロテクター、コンデンサー保持の改善案としては、モータケース外周部にプロテクター、雑音防止コンデンサー保持用ケースを取り付け、その中に配置するものであった。
【０００４】
図５、図６において、１はモータケース、２はプロテクター・コンデンサー収納ケース、３はプロテクター、４は雑音防止コンデンサーでモータケース１の外周に保持固定していた。（例えば、特許文献１参照）
【特許文献１】実開平７−３２９２６号公報
【発明の開示】
【発明が解決しようとする課題】
【０００５】
しかしながら、前記従来の構成では、モータケース１の外周にプロテクター・コンデンサー収納ケース２を取り付ける為に、本体内に収納用のスペースを確保する必要があった。また、プロテクター３をモータケース１の外側に取り付ける構成のために、モータ巻線の温度上昇感知が悪いという課題があった。
【課題を解決するための手段】
【０００６】
本発明は、上記課題に鑑み、界磁鉄心の側面にプロテクター及び雑音防止コンデンサーを取り付けられる構成としたことを特徴とする。また、分割鉄心に対応し、ひとつの巻枠にプロテクターまたはコンデンサーのどちらでも取り付けられるように保持固定形状を工夫したことを特徴とする。具体的には、界磁鉄心の両端面に取り付ける２つの巻枠に保持部、支え部、袋部を構成することでそれを実現したものである。
【発明の効果】
【０００７】
本構成によって、プロテクターおよびコンデンサーはモータ内に収納が可能となり、本体組込み時のスペース確保の必要性がない。また、本発明は、特に分割コアタイブの場合に、１種類の巻枠形状でプロテクター及び雑音防止コンデンサーのどちらでも簡単に取り付けられるようにしたものである。
【０００８】
本発明の界磁組立体は、巻枠に雑音防止コンデンサー用の角型保持部およびプロテクター保持用の袋部を形成する事ことより、１つの巻枠で雑音防止コンデンサーのみ、プロテクターのみ、プロテクターおよび雑音防止コンデンサーの３種類の取り付けパターンに対応が可能である。
【０００９】
界磁組立体にプロテクターおよび雑音防止コンデンサーを取り付けることにより、掃除機本体内にモータを組み込む時にプロテクター及びコンデンサーを取り付ける作業が不要であり、組込み性が良い。
【発明を実施するための最良の形態】
【００１０】
以下に、本発明の実施の形態について、図面を参照しながら説明する。
【００１１】
界磁鉄心の側面部にプロテクターおよび雑音防止コンデンサーの保持部を設ける事でモータケース内への収納性を良くし、コンパクト性を実現した。
【実施例１】
【００１２】
図１は、本発明の１実施例の平面図であって、５ａ、５ｂは界磁鉄心、６ａ、６ｂは巻枠、７は界磁巻線、３はプロテクター、４は雑音防止コンデンサー、８ａ、８ｂ、８ｃ、８ｄは接続線、９ａ、９ｂは電源端子、１０ａ、１０ｂは雑音防止コンデンサー保持固定支え部、１１ａ、１１ｂは雑音防止コンデンサーリード線固定兼プロテクター固定爪部、１２は、プロテクター保持用袋部である。図２、図３は、本発明の１実施例の側面図、図４は、分割鉄心構造を示す側面図で、記号は図１と同じである。
【００１３】
一体型鉄心の場合には、プロテクター３および雑音防止コンデンサー４の取り付け保持部は、巻枠上に別々に設けることができる。
【００１４】
しかしながら、分割鉄心の場合には、巻枠形状を１つのタイブで構成するのが一般的であり、その場合に、プロテクター３、雑音防止コンデンサー４どちらでも取り付けられることが重要である。本発明は、巻枠６ａ、６ｂの一部にコンデンサー保持固定支え部１０ａ、１０ｂ、コンデンサーリード線固定部兼プロテクター固定爪部１１ａ、１１ｂ、プロテクター保持用袋部１２を形成する事により、プロテクター３、雑音防止コンデンサー４のどちらでも保持固定が図られる。
【００１５】
上記分割鉄心５ａ、５ｂを圧入固定し、完成させた状態では、片方にプロテクター３、他方に雑音防止コンデンサー４を同時に取り付けることができる。
【産業上の利用可能性】
【００１６】
本発明の界磁組立体は、掃除機用モータのプロテクター、コンデンサーのコンパクトな収納方法として有用である。
【図面の簡単な説明】
【００１７】
【図１】本発明の界磁組立体の実施方法を示した平面図
【図２】本発明の界磁組立体の実施方法を示した側面図
【図３】本発明の界磁組立体の実施方法を示した側面図
【図４】本発明の界磁組立体の実施方法を示した平面図
【図５】従来の実施方法を示した平面図
【図６】従来の実施方法を示した側面図
【符号の説明】
【００１８】
１  モータケース
２  プロテクター・コンデンサー収納ケース
３  プロテクター
４  雑音防止コンデンサー
５ａ  界磁鉄心
５ｂ  界磁鉄心
６ａ  巻枠
６ｂ  巻枠
７  界磁巻線
８ａ  接続緑
８ｂ  接続線
８ｃ    接続線
８ｄ  接続線
９ａ  電源端子
９ｂ  電源端子
１０ａ  コンデンサー固定支え部
１０ｂ  コンデンサー固定支え部
１１ａ  コンデンサーリード線固定兼プロテクター固定爪部
１１ｂ  コンデンサーリード緑固定兼プロテクター固定爪部
１２  プロテクター保持用袋部
【図１】
2006149089.tif 000003
【図２】
2006149089.tif 000004
【図３】
2006149089.tif 000005
【図４】
2006149089.tif 000006
【図５】
2006149089.tif 000007
【図６】
2006149089.tif 000008